(57)【特許請求の範囲】
【請求項１】
被昇降家具の第１側板部側の支持用として配設された第１動滑車と、
被昇降家具の第２側板部側の支持用として配設された第２動滑車と、
第１動滑車に対応して被昇降家具の昇降経路付近の所定の位置に配設された第１定滑車と、
第２動滑車に対応して被昇降家具の昇降経路付近の所定の位置に配設された第２定滑車と、
第１動滑車及び第１定滑車にそれぞれ巻き掛けられた第１ワイヤケーブルと、
第２動滑車及び第２定滑車にそれぞれ巻き掛けられた第２ワイヤケーブルと、
モータと同軸上に隣接して配置され、当該モータの駆動力を受けて軸線回りに回転することにより第１ワイヤケーブル及び第２ワイヤケーブルを軸方向にずれた状態でかつ巻取方向が相互に逆方向となるように同時に巻取る巻取ドラムと、
巻取ドラムの取付位置を被昇降家具の天板部の長手方向に沿って変更するための調整手段と、
を有し、
前記巻取ドラムは円筒形状に形成されたドラム収容部内に回転自在に収容されていると共に、当該ドラム収容部内に当該巻取ドラムが収容された状態では、ドラム収容部の内周面が巻取ドラムの外周部に形成された前記第１巻き取り溝及び前記第２巻き取り溝の山との間に殆ど隙間がない状態で配置されている、
ことを特徴とする家具昇降装置。
【請求項２】
被昇降家具の第１側板部側の支持用として配設された第１動滑車と、
被昇降家具の第２側板部側の支持用として配設された第２動滑車と、
第１動滑車に対応して被昇降家具の昇降経路付近の所定の位置に配設された第１定滑車と、
第２動滑車に対応して被昇降家具の昇降経路付近の所定の位置に配設された第２定滑車と、
第１動滑車及び第１定滑車にそれぞれ巻き掛けられた第１ワイヤケーブルと、
第２動滑車及び第２定滑車にそれぞれ巻き掛けられた第２ワイヤケーブルと、
外周部に第１ワイヤケーブル巻き付け用の螺旋状の第１巻き取り溝と第２ワイヤケーブル巻き付け用の螺旋状の第２巻き取り溝とが軸方向に並列して形成され、モータの駆動力を受けて軸線回りに回転することにより第１ワイヤケーブル及び第２ワイヤケーブルを軸方向にずれた状態でかつ巻取方向が相互に逆方向となるように同時に巻取る巻取ドラムと、
を有し、
前記巻取ドラムは円筒形状に形成されたドラム収容部内に回転自在に収容されていると共に、当該ドラム収容部内に当該巻取ドラムが収容された状態では、ドラム収容部の内周面が巻取ドラムの外周部に形成された前記第１巻き取り溝及び前記第２巻き取り溝の山との間に殆ど隙間がない状態で配置されている、
ことを特徴とする家具昇降装置。
【発明の詳細な説明】
【０００１】
【発明の属する技術分野】
本発明は、モータの駆動力でワイヤケーブルを巻き取り又は巻き戻すことにより被昇降家具を昇降させる家具昇降装置に関する。
【０００２】
【従来の技術】
従来から、吊り戸棚等の被昇降家具をワイヤケーブルを使って吊り下げておき、当該ワイヤケーブルを駆動装置を使って巻き取り或るいは巻き戻すことにより、吊り戸棚等の被昇降家具を昇降させる技術がある。
【０００３】
この種の家具昇降装置の一般構成例について、以下に簡単に説明する。吊り戸棚の天板の四隅には、予め４本のワイヤケーブルの各端部が固定されている。また、天井等には定滑車が固定されており、当該定滑車を介してワイヤケーブルの端部がモータ等に結合された巻取軸に巻き付けられている。上記構成によれば、モータ等の駆動装置が駆動すると、巻取軸が回転し、これによりワイヤケーブルが巻き取られ又は巻き戻され、吊り戸棚等が昇降される。
【０００４】
【発明が解決しようとする課題】
しかしながら、上記構成による場合、４本のワイヤケーブルの長さ及び張力の均一性が確保されていない場合には、吊り戸棚等の被昇降家具が傾いた状態で昇降されたり、或るいは、１箇所のワイヤケーブルに荷重が集中して当該ワイヤケーブルに伸びが生じ更に被昇降家具が傾くといった可能性がある。
【０００５】
本発明は上記事実を考慮し、吊り戸棚等の被昇降家具を昇降する際に被昇降家具が傾くのを極力抑えることができる家具昇降装置を得ることが目的である。
【００１３】
【課題を解決するための手段】
請求項１記載の本発明に係る家具昇降装置は、被昇降家具の第１側板部側の支持用として配設された第１動滑車と、被昇降家具の第２側板部側の支持用として配設された第２動滑車と、第１動滑車に対応して被昇降家具の昇降経路付近の所定の位置に配設された第１定滑車と、第２動滑車に対応して被昇降家具の昇降経路付近の所定の位置に配設された第２定滑車と、第１動滑車及び第１定滑車にそれぞれ巻き掛けられた第１ワイヤケーブルと、第２動滑車及び第２定滑車にそれぞれ巻き掛けられた第２ワイヤケーブルと、外周部に第１ワイヤケーブル巻き付け用の螺旋状の第１巻き取り溝と第２ワイヤケーブル巻き付け用の螺旋状の第２巻き取り溝とが軸方向に並列して形成され、モータの駆動力を受けて軸線回りに回転することにより第１ワイヤケーブル及び第２ワイヤケーブルを軸方向にずれた状態でかつ巻取方向が相互に逆方向となるように同時に巻取る巻取ドラムと、を有し、前記巻取ドラムは円筒形状に形成されたドラム収容部内に回転自在に収容されていると共に、当該ドラム収容部内に当該巻取ドラムが収容された状態では、ドラム収容部の内周面が巻取ドラムの外周部に形成された前記第１巻き取り溝及び前記第２巻き取り溝の山との間に殆ど隙間がない状態で配置されている、を有することを特徴としている。
上記構成の本発明によれば、モータを正転駆動させると、巻取ドラムがその軸線回りに回転される。これにより、巻取ドラムに第１ワイヤケーブル及び第２ワイヤケーブルが巻き取られる。第１ワイヤケーブルは、被昇降家具の第１側板部側の支持用として配設された第１動滑車及びこの第１動滑車に対応して被昇降家具の昇降経路付近の所定位置に配設された第１定滑車にそれぞれ巻き掛けられている。また、第２ワイヤケーブルは、被昇降家具の第２側板部側の支持用として配設された第２動滑車及びこの第２動滑車に対応して被昇降家具の昇降経路付近の所定位置に配設された第２定滑車にそれぞれ巻き掛けられている。従って、これらの第１ワイヤケーブル及び第２ワイヤケーブルが巻取ドラムによって巻き取られると、それに伴って被昇降家具が上昇される。なお、モータを逆転駆動させると、巻取ドラムから第１ワイヤケーブル及び第２ワイヤケーブルが巻き戻され、被昇降家具は下降される。このようにして被昇降家具の昇降動作が行われる。
ここで、本発明では、第１ワイヤケーブル及び第２ワイヤケーブルが、軸方向にずれた状態で巻取ドラムに巻き取られる（或るいは巻き戻される）ため、以下の作用・効果が得られる。すなわち、仮に第１ワイヤケーブルと第２ワイヤケーブルとが重合された状態で巻取ドラムに巻き取られたとすると、巻取ドラムの回転量に対する第１ワイヤケーブルの移動量と第２ワイヤケーブルの移動量とが相互に異なる事態が生じるが、本発明によればそのような事態は生じない。また、本発明では、第１ワイヤケーブル及び第２ワイヤケーブルは、巻取方向が相互に逆方向となるように巻取ドラムに同時に巻き取られ、これにより以下の作用・効果が得られる。すなわち、巻取ドラムがその軸線回りに回転すると、第１ワイヤケーブル及び第２ワイヤケーブルはいずれも巻取ドラムに同時に巻き取られるか又は巻取ドラムから同時に巻き戻されるかのどちらかになる。つまり、本発明によれば、巻取ドラムが回転した際に、第１ワイヤケーブル及び第２ワイヤケーブルのいずれか一方が巻き取られて、いずれか他方が巻き戻されるといったことは生じない。これらのことから、本発明によれば、巻取ドラムが回転すると、第１ワイヤケーブル及び第２ワイヤケーブルは、いずれも同一の長さだけ巻き取り方向又は巻き戻し方向へ移動することになる。従って、本発明によれば、ワイヤケーブルの長さの観点から、昇降時に被昇降家具が傾くのを極力抑えることができる。
さらに、本発明によれば、被昇降家具の第１側板部側、第２側板部側の支持用として第１動滑車、第２動滑車がそれぞれ配設されており、これらの動滑車に第１ワイヤケーブル及び第２ワイヤケーブルを巻き掛けて被昇降家具を昇降させる構成を採っているため、昇降荷重が半分になるだけでなく、第１ワイヤケーブル及び第２ワイヤケーブルに作用する張力がそれぞれに均一化される。つまり、第１ワイヤケーブルを例にして説明すると、被昇降家具の第１側板部側は第１動滑車に巻き掛けられた第１ワイヤケーブルの巻き取り又は巻き戻し動作によって昇降されることになるが、この際に第１ワイヤケーブルの第１動滑車での折り返し前の部分と折り返し後の部分とで異なった張力が作用するといった事態は生じない。よって、第１ワイヤケーブルの折り返し前の部分と折り返し後の部分に長さの変動が生じることはない。従って、本発明によれば、ワイヤケーブルの張力の観点から、昇降時に被昇降家具が傾くのを極力抑えることができる。
この点について更に補足すると、例えば、被昇降家具の第１側板部側を第１動滑車を使用せずに２本のワイヤケーブルで吊り下げたとすると、いずれか一方のワイヤケーブルに作用する張力がいずれか他方のワイヤケーブルに作用する張力よりも大きくなることがある。この場合、張力が大きい方のワイヤケーブルには長期間の使用等により伸びが生じ、２本のワイヤケーブルの長さが異なってしまい、被昇降家具に傾きが生じるおそれがある。しかし、本発明によれば、動滑車を使用してこれにワイヤケーブルを巻き掛けて被昇降家具を支持するので、張力のアンバランスに起因した被昇降家具の傾きは生じない。
加えて、本発明によれば、巻取ドラムの取付位置を被昇降家具の天板部の長手方向に沿って変更するための調整手段を備えているので、家具昇降装置の組付時に、調整手段によって巻取ドラムの取付位置を被昇降家具の天板部の長手方向に沿って変更することにより、被昇降家具の水平度を簡単に調整することができる。
すなわち、本発明は、昇降時における被昇降家具の水平度を確保することができるだけでなく、家具昇降装置の組付時における被昇降家具の水平度を確保することができる。
また、上記構成の本発明によれば、巻取ドラムの外周部に各々螺旋状とされた第１巻き取り溝と第２巻き取り溝とが形成されており、巻取ドラムが巻取方向に回転すると、第１ワイヤケーブルは第１巻き取り溝に又第２ワイヤケーブルは第２巻き取り溝にそれぞれ巻き取られていく。
さらに、上記構成の本発明によれば、巻取ドラムが円筒形状のドラム収容部内に回転自在に収容されており、当該ドラム収容部内に当該巻取ドラムが収容された状態では、ドラム収容部の内周面が巻取ドラムの外周部に形成された第１巻き取り溝及び第２巻き取り溝の山との間に殆ど隙間がない状態で配置される。
請求項２記載の本発明に係る家具昇降装置は、被昇降家具の上部外周側に設けられた支持体と、支持体の両側部に被昇降家具の高さ方向に沿って配置された第１ガイドレール及び第２ガイドレールと、第１ガイドレール内に転動可能に挿嵌されると共に被昇降家具の第１側板部側に配設された第１ガイドローラと、第２ガイドレール内に転動可能に挿嵌されると共に被昇降家具の第２側板部側に配設された第２ガイドローラと、被昇降家具の第１側板部側の支持用として配設された第１動滑車と、被昇降家具の第２側板部側の支持用として配設された第２動滑車と、第１動滑車に対応して被昇降家具の昇降経路付近の所定の位置に配設された第１定滑車と、第２動滑車に対応して被昇降家具の昇降経路付近の所定の位置に配設された第２定滑車と、第１動滑車及び第１定滑車にそれぞれ巻き掛けられた第１ワイヤケーブルと、第２動滑車及び第２定滑車にそれぞれ巻き掛けられた第２ワイヤケーブルと、モータの駆動力を受けて軸線回りに回転することにより第１ワイヤケーブル及び第２ワイヤケーブルを軸方向にずれた状態でかつ巻取方向が相互に逆方向となるように同時に巻取る巻取ドラムと、を有し、前記巻取ドラムは円筒形状に形成されたドラム収容部内に回転自在に収容されていると共に、当該ドラム収容部内に当該巻取ドラムが収容された状態では、ドラム収容部の内周面が巻取ドラムの外周部に形成された前記第１巻き取り溝及び前記第２巻き取り溝の山との間に殆ど隙間がない状態で配置されている、ことを特徴としている。
上記構成の本発明によれば、巻取ドラムが円筒形状のドラム収容部内に回転自在に収容されており、当該ドラム収容部内に当該巻取ドラムが収容された状態では、ドラム収容部の内周面が巻取ドラムの外周部に形成された第１巻き取り溝及び第２巻き取り溝の山との間に殆ど隙間がない状態で配置される。
【００１４】
【発明の実施の形態】
〔第１実施形態〕
以下、図１〜図７を用いて、本発明に係る家具昇降装置の第１実施形態について説明する。
【００１５】
図１には本実施形態に係る家具昇降装置１０が「被昇降家具」としての吊り戸棚１２に組付けられた状態が示されており、又図２には当該家具昇降装置１０の全体構成が分解した状態で示されている。
【００１６】
これらの図に示されるように、吊り戸棚１２の上部外周側には、正面視で下向きに開放されたコ字形をなす支持体１４が設けられている。なお、吊り戸棚１０をインナボックスと観た場合、支持体１４は吊り戸棚１０と対になって使用されるアウタボックスと観ることができる。
【００１７】
この支持体１４の奥行き方向の略中間部には、家具昇降装置１０の外郭を構成する支持枠１６が配設されている。支持枠１６は、支持体１４の両側部に配設された長尺状の一対の第１ガイドレール１８及び第２ガイドレール２０と、支持体１４の頂部に配設された長尺状のフレーム２２とによって構成されている。第１ガイドレール１８及び第２ガイドレール２０はそれぞれチャンネル形状をなしており、その上端部には平面視でコ字形の固定部２４、２６がそれぞれ一体に形成されている。第１ガイドレール１８の固定部２４には第１定滑車２８が軸支されており、又第２ガイドレール２０の固定部２６には第２定滑車３０が軸支されている。フレーム２２は断面コ字形に形成されており、その長手方向の両端部が第１ガイドレール１８の固定部２４及び第２ガイドレール２０の固定部２６に被嵌されて図示しないボルト・ナット等の固定具によって固定されることにより、支持枠１６が構成されている。なお、上述した第１ガイドレール１８及び第２ガイドレール２０は、吊り戸棚１２の昇降時に当該吊り戸棚１２が前後方向（奥行き方向）に振れたりやがたついたりするのを抑制する機能を有している。
【００１８】
一方、吊り戸棚１２の「第１側板部」としての左側板部１２Ａの上縁中央には、略矩形平板状に形成された第１固定金具３２が取り付けられている。図３にも示されるように、第１固定金具３２の幅方向中間部は第１ガイドレール１８側へ若干膨出されており、当該膨出部分に第１動滑車３４及び第１ガイドローラ３６が上下に離間してリベット３８、４０で軸支されている。同様に、吊り戸棚１２の「第２側板部」としての右側板部１２Ｂの上縁中央にも、同様形状の第２固定金具４２が取り付けられており、第２動滑車４４及び第２ガイドローラ４６が上下に離間してリベット４８、５０で軸支されている。これらの第１動滑車３４及び第１ガイドローラ３６は第１ガイドレール１８内に転動可能に挿嵌されており、又第２動滑車４４及び第２ガイドローラ４６は第２ガイドレール２０内に転動可能に挿嵌されている。
【００１９】
図１及び図２に示されるように、上述した第１定滑車２８及び第１動滑車３４には、第１ワイヤケーブル５２の中間部５２Ａが巻き掛けられている。第１ワイヤケーブル５２の一端部５２Ｂは、第１ガイドレール１８の固定部２４に係止されている。また、第１ワイヤケーブル５２の他端部（図示省略）は、後述する巻取ドラム１０２の第１ワイヤケーブル係止溝１０８に係止されている。同様に、上述した第２定滑車３０及び第２定滑車３０には、第２ワイヤケーブル５４の中間部５４Ａが巻き掛けられている。第２ワイヤケーブル５４の一端部５４Ｂは、第２ガイドレール２０の固定部２６に係止されている。また、第２ワイヤケーブル５４の他端部（図示省略）は、後述する巻取ドラム１０２の第２ワイヤケーブル係止溝１１０に係止されている。
【００２０】
図１に示されるように、上述したフレーム２２の長手方向の中間部には、方形プレート状の固定金具５６を介して駆動装置５８が取り付けられている。具体的には、図２に拡大して示されるように、フレーム２２の長手方向の中間部には長孔６０が形成されており、これに対応して固定金具５６にはボルト挿通孔６２が形成されている。そして、固定金具５６のボルト挿通孔６２及びフレーム２２の長孔６０内へ取付ボルト６４を挿入しナット６６（なお、取付ボルト６４及びナット６６は広義には「固定具」又は「固定手段」として把握される要素である）を螺合させることにより、駆動装置５８がフレーム２２に取り付けられている。なお、このときに、固定金具５６をフレーム２２に対して長孔６０に沿って長手方向へ相対移動させることにより、駆動装置５８のフレーム２２に対する取付位置の調整が可能とされている。本実施形態では、フレーム２２側に長孔６０を形成して固定金具５６側に円孔であるボルト挿通孔６２を形成したが、調整手段の構成としては、固定金具５６側に長孔６０を形成してフレーム２２側にボルト挿通孔６２を形成してもよいし、フレーム２２に対する駆動装置５８の取付位置をフレーム２２の長手方向へ変更可能な構成であればすべて適用可能である。
【００２１】
図４〜図６に示されるように、上述した駆動装置５８は、駆動力を付与するモータ部６８と、このモータ部６８と連結されかつ外部からの力では逆転しないように構成された減速機構部７０と、この減速機構部７０と連結されかつ第１ワイヤケーブル５２及び第２ワイヤケーブル５４を巻き取り或るいは巻き戻す巻取ドラム部７２とを含んで構成されている。
【００２２】
詳細には図６に示されるように、モータ部６８はウォームギヤ７４を備えており、モータ部６８が駆動すると、ウォームギヤ７４がその軸線回りに回転するようになっている。このウォームギヤ７４には、減速機構部７０の外郭を構成するギヤハウジング７６内に配設されたウォームホイール７８が噛み合っている。ウォームホイール７８の軸芯部には一部にスパーギヤが形成された円筒状のギヤシャフト８０が固定されており、更にその軸芯部にはセレーション嵌合によりギヤハウジング７６に固定された支軸８２が挿通されている。従って、ウォームホイール７８は、支軸８２回りにギヤシャフト８０と一体に回転するようになっている。さらに、ギヤシャフト８０のスパーギヤ部８０Ａには減速ギヤホイール８４が噛み合っている。この減速ギヤホイール８４の軸芯部には有底円筒状の凹部８６が形成されており、当該凹部８６にはドラムシャフト８８の軸方向の一端部がセレーション嵌合により連結されている。
【００２３】
巻取ドラム部７２は互いに平行に配置された一対の支持板９０、９２を備えており、これらの支持板９０、９２にはベアリング９４、９６が同軸上に配設されている。そして、これら一対のベアリング９４、９６に上記のドラムシャフト８８の軸方向の両端部が回転自在に軸支されている。また、一対の支持板９０、９２間には、中空円筒状に形成されかつ外周部の所定位置にワイヤケーブル挿通用のスリット９８が形成されたドラム収容部１００が配設されている。このドラム収容部１００内には、ドラムシャフト８８に固定された巻取ドラム１０２が収容されている。
【００２４】
詳細には図７に示されるように、巻取ドラム１０２は、全体としては円筒状に形成されている。巻取ドラム１０２の外周半分には左巻きの第１巻き取り溝１０４が形成されており、又巻取ドラム１０２の外周残り半分には右巻きの第２巻き取り溝１０６が形成されている。さらに、巻取ドラム１０２の軸方向の一端面には第１巻き取り溝１０４と連通された第１ワイヤケーブル係止溝１０８が形成されており、又巻取ドラム１０２の軸方向の他端面には第２巻き取り溝１０６と連通された第２ワイヤケーブル係止溝１１０が形成されている。なお、第１ワイヤケーブル係止溝１０８と第２ワイヤケーブル係止溝１１０とでは、形成位置が周方向に１８０度ずれている。上記の如く構成された第１ワイヤケーブル係止溝１０８には第１ワイヤケーブル５２の他端部（図示省略）が係止され、更に第１巻き取り溝１０４には第１ワイヤケーブル５２が巻き付けられるようになっている。同様に、第２ワイヤケーブル係止溝１１０には第２ワイヤケーブル５４の他端部（図示省略）が係止され、更に第２巻き取り溝１０６には第２ワイヤケーブル５４が巻き付けられるようになっている。
【００２５】
次に、本実施形態の作用並びに効果を説明する。
【００２６】
駆動装置５８のモータ部６８を正転駆動させると、ウォームギヤ７４がその軸線回りに回転し、減速機構部７０のウォームホイール７８が支軸８２回りに減速回転される。ウォームホイール７８が回転すると、その軸芯部に配置されたギヤシャフト８０が支軸８２回りに同一回転速度で回転する。このため、ギヤシャフト８０のスパーギヤ部８０Ａと噛み合っている減速ギヤホイール８４が減速回転され、巻取ドラム部７２のドラムシャフト８８をその軸線回りに同一回転速度で回転させる。これにより、巻取ドラム１０２が一定方向へ回転される。
【００２７】
巻取ドラム１０２がドラムシャフト８８と共にに回転すると、当該巻取ドラム１０２の第１巻き取り溝１０４には第１ワイヤケーブル５２が巻き取られていき、第２巻き取り溝１０６には第２ワイヤケーブル５４が巻き取られていく。このため、第１ワイヤケーブル５２は第１定滑車２８及び第１動滑車３４を介して吊り戸棚１２の左側板部１２Ａ側を第１ガイドレール１８に沿って上昇させていき、第２ワイヤケーブル５４は第２定滑車３０及び第２動滑車４４を介して吊り戸棚１２の右側板部１２Ｂ側を第２ガイドレール２０に沿って上昇させていく。その結果、吊り戸棚１２は第１ガイドレール１８及び第２ガイドレール２０に沿って所定の高さまで上昇される。
【００２８】
一方、駆動装置５８のモータ部６８を逆転駆動させると、前述した作動と反対の作動が行われ、巻取ドラム１０２から第１ワイヤケーブル５２及び第２ワイヤケーブル５４が巻き戻される。これにより、吊り戸棚１２は第１ガイドレール１８及び第２ガイドレール２０に沿って所定の高さまで下降される。このようにして吊り戸棚１２の昇降動作が行われる。
【００２９】
ここで、本実施形態では、第１ワイヤケーブル５２を巻き取る第１巻き取り溝１０４と第２ワイヤケーブル５４を巻き取る第２巻き取り溝１０６とを巻取ドラム１０２の外周部に軸方向に並設したので、第１ワイヤケーブル５２及び第２ワイヤケーブル５４は軸方向にずれた状態で巻取ドラム１０２に巻き取られる（吊り戸棚１２の下降時であれば、巻取ドラム１０２から巻き戻される）。これにより、本実施形態によれば、以下の作用・効果が得られる。すなわち、仮に第１ワイヤケーブルと第２ワイヤケーブルとが重合された状態で巻取ドラムに巻き取られたとすると、巻取ドラム１０２の回転量に対する第１ワイヤケーブル５２の移動量と第２ワイヤケーブル５４の移動量とが相互に異なる事態が生じる。しかし、本実施形態によれば、第１巻き取り溝１０４と第２巻き取り溝１０６とが巻取ドラム１０２の外周部に軸方向に並列的に形成されているため、そのような事態は生じない。
【００３０】
また、本実施形態では、第１ワイヤケーブル５２を巻き取る第１巻き取り溝１０４は左巻きに形成されており、又第２ワイヤケーブル５４を巻き取る第２巻き取り溝１０６はこれとは逆向きである右巻きに形成されているため、以下の作用・効果が得られる。すなわち、本実施形態の場合、巻取ドラム１０２がその軸線回りに回転すると、第１ワイヤケーブル５２及び第２ワイヤケーブル５４はいずれも巻取ドラム１０２に同時に巻き取られるか又は巻取ドラム１０２から同時に巻き戻されるかのどちらかになる。つまり、本実施形態の場合、巻取ドラム１０２が回転した際に、第１ワイヤケーブル５２及び第２ワイヤケーブル５４のいずれか一方が巻き取られて、いずれか他方が巻き戻されるといったことは生じない。
【００３１】
これらのことから、本実施形態によれば、巻取ドラム１０２が回転すると、第１ワイヤケーブル５２及び第２ワイヤケーブル５４は、いずれも同一の長さだけ巻き取り方向（即ち、吊り戸棚１２の上昇方向）又は巻き戻し方向（即ち、吊り戸棚１２の下降方向）へ移動することになる。従って、本実施形態によれば、第１ワイヤケーブル５２及び第２ワイヤケーブル５４の長さの観点から、昇降時に吊り戸棚１２が傾くのを極力抑えることができる。
【００３２】
さらに、本実施形態によれば、吊り戸棚１２の左側板部１２Ａ側の支持用として第１動滑車３４を配設し、右側板部１２Ｂ側の支持用として第２動滑車４４を配設し、即ち動滑車を利用して吊り戸棚１２を昇降させる構成にしたので、吊り戸棚１２を昇降させる際の昇降荷重が半分になるだけでなく、第１ワイヤケーブル５２及び第２ワイヤケーブル５４に作用する張力がそれぞれに均一化される。図２に示された第１ワイヤケーブル５２を例にして説明すると、吊り戸棚１２の左側板部１２Ａ側は第１動滑車３４に巻き掛けられた第１ワイヤケーブル５２の巻き取り又は巻き戻し動作によって昇降されることになるが、この際に、第１ワイヤケーブル５２の第１動滑車３４での折り返し前の前側部分５２’と折り返し後の後側部分５２”とでは同じ張力が作用する。つまり、前側部分５２’と後側部分５２”とで異なった張力が作用するといった事態は生じない。よって、第１ワイヤケーブル５２の前側部分５２’の長さと後側部分５２”の長さは常に同一となる。従って、本実施形態によれば、第１ワイヤケーブル５２及び第２ワイヤケーブル５４の張力の観点から、昇降時に吊り戸棚１２が傾くのを極力抑えることができる。
【００３３】
この点について更に補足すると、例えば、吊り戸棚１２の左側板部１２Ａ側を第１動滑車３４を使用せずに２本のワイヤケーブルで吊り下げたとすると、いずれか一方のワイヤケーブルに作用する張力がいずれか他方のワイヤケーブルに作用する張力よりも大きくなることがある。この場合、張力が大きい方のワイヤケーブルには長期間の使用等により伸びが生じ、２本のワイヤケーブルの長さが異なってしまい、吊り戸棚１２に傾きが生じるおそれがある。しかし、本実施形態によれば、第１動滑車３４及び第２動滑車４４を使用して、これらに第１ワイヤケーブル５２及び第２ワイヤケーブル５４を巻き掛けて吊り戸棚１２を支持するため、張力のアンバランスに起因した吊り戸棚１２の傾きは生じない。
【００３４】
また、本実施形態では、フレーム２２に長孔６０を形成し、フレーム２２に対する駆動装置５８の取付位置をフレーム２２の長手方向に沿って長孔６０のストロークの範囲内で変更可能としたので、家具昇降装置１０の組付時（施工時）に吊り戸棚１２の水平度を簡単に調整することができる。その結果、従来方式では４本のワイヤケーブルの長さ調節作業にかなりの作業時間を要したが、本実施形態によれば、その作業時間を大幅に短縮することができる。
【００３５】
〔第２実施形態〕
次に、図８及び図９を用いて、本発明に係る家具昇降装置の第２実施形態について説明する。なお、前述した第１実施形態と同一構成部分には、同一番号を付してその説明を省略する。
【００３６】
図８には本実施形態に係る家具昇降装置１２０が「被昇降家具」としての吊り戸棚１２２に組付けられた状態が示されており、又図９には当該家具昇降装置１２０の全体構成が拡大した状態で示されている。
【００３７】
これらの図に示されるように、本実施形態に係る家具昇降装置１２０は、横幅が長い吊り戸棚１２２に対して適用される。逆に言えば、本実施形態に係る家具昇降装置１２０は、このような吊り戸棚１２２に対して好適な装置といえる。
【００３８】
吊り戸棚１２２の左側板部１２４及び右側板部１２６は、吊り戸棚本体１２８の側板部１３０よりもワンサイズ大きく設定されている。このため、左側板部１２４及び右側板部１２６は吊り戸棚本体１２８の天板１３２よりも上方側へ若干突出されており、これらの左側板部１２４及び右側板部１２６の突出部分の前側を覆うかたちで狭幅の前板１３４が吊り戸棚本体１２８の上縁に取り付けられている。また、左側板部１２４及び右側板部１２６は、吊り戸棚１２２の背板よりも後方側へ若干突出されている。
【００３９】
上述した吊り戸棚１２２の背面側の両サイドには、アングル状の第１ガイドレール１３６及び第２ガイドレール１３８が平行に配設されている。第１ガイドレール１３６及び第２ガイドレール１３８の垂直部１３６Ａ、１３８Ａの外側には、コ字形断面の長尺状のガイド１４０、１４２がそれぞれ固着されている。これに対応して、吊り戸棚１２２の左側板部１２４の後端側及び右側板部１２６の後端側には、ガイド１４０、１４２に挿嵌される複数のガイドローラ１４４、１４６が軸支されている。
【００４０】
また、上述した吊り戸棚１２２の天板１３２上の中央部には、合計２個の第１駆動装置１４８及び第２駆動装置１５０が配設されている。なお、駆動装置を２個使用するのは、吊り戸棚１２２が前述した第１実施形態の吊り戸棚１２よりも大きく重量があるため、より大きな駆動力が必要になるからである。また、これらの第１駆動装置１４８及び第２駆動装置１５０は固定金具１５２、１５４を介して天板１３２に固定されているが、この固定金具１５２、１５４のボルト挿通孔は長孔１５６、１５８とされており、第１駆動装置１４８及び第２駆動装置１５０の取付位置を天板１３２の長手方向へずらして調整できるようになっている。なお、長孔１５６、１５８は必ずしも固定金具１５２、１５４に形成する必要はなく、天板１３２側に形成してもよい。
【００４１】
また、吊り戸棚１２２の左側板部１２４の上縁部の内側には、長尺状の第１ロア支持体１６０が配設されている。この第１ロア支持体１６０の中間部には、一対の第１ロアセンタ動滑車１６２が支持体に直交した状態で軸支されている。さらに、第１ロア支持体１６０の両端部には、一対の第１ロアサイドガイド１６４が支持体に沿った状態で配設されている。従って、第１ロアセンタ動滑車１６２と第１ロアサイドガイド１６４とは軸方向が互いに直交している。
【００４２】
これに対応して、第１ロア支持体１６０の上方には、長尺状の第１アッパ支持体１６６が配設されている。この第１アッパ支持体１６６は、第１ガイドレール１３６の水平部１３６Ｂに挿嵌されるようになっている。さらに、第１アッパ支持体１６６には、第１ロアセンタ動滑車１６２及び第１ロアサイドガイド１６４と対向する４個の第１アッパセンタ定滑車１６８及び第１アッパサイド定滑車１６９が軸支されている。
【００４３】
同様に、吊り戸棚１２２の右側板部１２６の上縁部の内側には、長尺状の第２ロア支持体１７０が配設されている。この第２ロア支持体１７０の中間部には、一対の第２ロアセンタ動滑車１７２が支持体に直交した状態で軸支されている。さらに、第２ロア支持体１７０の両端部には、一対の第２ロアサイドガイド１７４が支持体に沿った状態で配設されている。従って、第２ロアセンタ動滑車１７２と第２ロアサイドガイド１７４とは軸方向が互いに直交している。
【００４４】
これに対応して、第２ロア支持体１７０の上方には、長尺状の第２アッパ支持体１７６が配設されている。この第２アッパ支持体１７６は、第２ガイドレール１３８の水平部１３８Ｂに挿嵌されるようになっている。さらに、第２アッパ支持体１７６には、第２ロアセンタ動滑車１７２及び第２ロアサイドガイド１７４と対向する４個の第２アッパセンタ定滑車１７８及び第２アッパサイド定滑車１７９が軸支されている。
【００４５】
上述した第１駆動装置１４８から引き出された第１ワイヤケーブル１８０は、奥側の第１ロアセンタ動滑車１６２、その直上の第１アッパセンタ定滑車１６８、その奥側の第１アッパサイド定滑車１６９、奥側の第１ロアサイドガイド１６４、手前側の第１ロアサイドガイド１６４、その直上の第１アッパサイド定滑車１６９、その奥側の第１アッパセンタ定滑車１６８、その直下の第１ロアセンタ動滑車１６２をこの順（矢印イ〜矢印トの順）に経由して第２駆動装置１５０に連結されている。なお、第２ワイヤケーブル１８２も、第１ワイヤケーブル１８０と同様の経路で巻き掛けられている。
【００４６】
なお補足すると、前述した第１実施形態において図４〜図７を用いて説明した駆動装置５８は、図１及び図２に図示された駆動装置５８と外観において相違しており、本実施形態の図８に示された第１駆動装置１４８、第２駆動装置１５０と外観において整合するが、これは第１実施形態の図１及び図２では駆動装置５８を簡略的に図示したことによる。
【００４７】
上記構成によれば、吊り戸棚１２２を下降させる場合には、第１駆動装置１４８のモータ部１８４及び第２駆動装置１５０のモータ部１８６がそれぞれ逆転駆動される。各モータ部１８４、１８６が逆転駆動されると、第１駆動装置１４８の巻取ドラム部１８８及び第２駆動装置１５０の巻取ドラム部１９０から第１ワイヤケーブル１８０及び第２ワイヤケーブル１８２がそれぞれ所定量巻き戻される。これにより、第１駆動装置１４８から第２駆動装置１５０までの第１ワイヤケーブル１８０及び第２ワイヤケーブル１８２の長さが最初の状態よりもそれぞれ長くなる。そして、巻き戻された第１ワイヤケーブル１８０及び第２ワイヤケーブル１８２の長さだけ、第１ロア支持体１６０と第１アッパ支持体１６６との距離並びに第２ロア支持体１７０と第２アッパ支持体１７６との距離が長くなり、その距離だけ吊り戸棚１２２が下降される。なお、第１ワイヤケーブル１８０及び第２ワイヤケーブル１８２には吊り戸棚１２２の自重が常に加わっているので、吊り戸棚１２２の昇降時に第１ワイヤケーブル１８０及び第２ワイヤケーブル１８２が弛むことはない。
【００４８】
一方、吊り戸棚１２２を上昇させる場合は、第１駆動装置１４８のモータ部１８４及び第２駆動装置１５０のモータ部１８６が正転駆動されることにより、前述した場合と逆の作動が行われ、第１ワイヤケーブル１８０及び第２ワイヤケーブル１８２が巻取ドラム部１８８及び巻取ドラム部１９０に巻き取られていく。
【００４９】
このように本実施形態においても、前述した第１実施形態と同様構成の第１駆動装置１４８及び第２駆動装置１５０を使用し、かつ複数の動滑車（一対の第１ロアセンタ動滑車１６２並びに一対の第２ロアセンタ動滑車１７２）で吊り戸棚１２２を支持するように構成したので、第１実施形態と同様に、昇降時の第１ワイヤケーブル１８０及び第２ワイヤケーブル１８２の長さ及び張力を均一にすることができ、その結果、昇降時に吊り戸棚１２２が傾くのを極力抑えることができる。
【００５０】
また、本実施形態においても、固定金具１５２、１５４に長孔１５６、１５８を形成した結果、第１駆動装置１４８及び第２駆動装置１５０の取付位置を天板１３２の長手方向に沿って調整することができるので、家具昇降装置１２０の組付時（施工時）に吊り戸棚１２２の水平度を簡単に調整することができる。
【００５１】
さらに、本実施形態では、第１駆動装置１４８と第２駆動装置１５０とで吊り戸棚１２２を昇降させるため、第１駆動装置１４８及び第２駆動装置１５０の双方で要求される駆動力を分担することができる。
【００５２】
なお、上記構成における第１ロアサイドガイド１６４及び第２ロアサイドガイド１７４に替えて、この部分にも動滑車を使用してもよい。
【００５３】
また、上述した各実施形態では、吊り戸棚１２、１２２を昇降対象としたが、これに限らず、種々の家具類に対して本発明は適用可能である。
【図面の簡単な説明】
【図１】第１実施形態に係る家具昇降装置の組付状態を示す全体斜視図である。
【図２】図１に示される家具昇降装置の分解斜視図である。
【図３】図１の３−３線断面図である。
【図４】図１に示される駆動装置の正面図である。
【図５】図４に示される駆動装置の側面図である。
【図６】図４の６−６線断面図である。
【図７】図６に示される巻取ドラムの単品図である。
【図８】第２実施形態に係る家具昇降装置の組付状態を示す全体斜視図である。
【図９】図８から家具昇降装置のみを抽出して示す拡大斜視図である。
【符号の説明】
１０    家具昇降装置
１２    吊り戸棚（被昇降家具）
１２Ａ  左側板部（第１側板部）
１２Ｂ  右側板部（第２側板部）
２８    第１定滑車
３０    第２定滑車
３４    第１動滑車
４４    第２動滑車
５２    第１ワイヤケーブル
５４    第２ワイヤケーブル
５６    固定金具（調整手段）
６０    長孔（調整手段）
６４    取付ボルト（調整手段）
６６    ナット（調整手段）
６８    モータ部
１００ ドラム収容部
１０２  巻取ドラム
１０４  第１巻き取り溝
１０６  第２巻き取り溝
１２０  家具昇降装置
１２２  吊り戸棚（被昇降家具）
１２４  左側板部（第１側板部）
１２６  右側板部（第２側板部）
１５２  固定金具（調整手段）
１５４  固定金具（調整手段）
１５６  長孔（調整手段）
１５８  長孔（調整手段）
１６２  第１ロアセンタ動滑車
１６８  第１アッパセンタ定滑車
１６９  第１アッパサイド定滑車
１７２  第２ロアセンタ動滑車
１７８  第２アッパセンタ定滑車
１７９  第２アッパサイド定滑車
１８０  第１ワイヤケーブル
１８２  第２ワイヤケーブル
１８４  モータ部
１８６  モータ部
【図１】
0003881139.tif 000002
【図２】
0003881139.tif 000003
【図３】
0003881139.tif 000004
【図４】
0003881139.tif 000005
【図５】
0003881139.tif 000006
【図６】
0003881139.tif 000007
【図７】
0003881139.tif 000008
【図８】
0003881139.tif 000009
【図９】
0003881139.tif 000010